(57)【要約】【課題】所望のジャンルに属する現在放送中の番組が存在しない場合でも、所望のジャンルに属する番組を利用者が容易に探し視聴できる録画再生装置を提供する。【解決手段】録画再生装置１００は、テレビ放送波を受信する放送波受信部１１０と、放送波受信部１１０により得られる放送中の番組を録画する録画部１２０と、放送波受信部１１０により得られる放送中の番組又は録画部１２０により得られる録画済みの番組の何れかを再生する再生部１３０と、リモコン１に対する利用者の操作に基づいて、放送波受信部１１０、録画部１２０、及び再生部１３０を制御する制御部１４０と、を有し、制御部１４０は、番組のジャンルを選択する操作をリモコン１が受け付けると、放送中の各番組及び録画済みの各番組の中から、選択されたジャンルに属する番組を再生するよう制御する。【選択図】図２
2012222754.tif 000002
【特許請求の範囲】
【請求項１】
操作入力部と共に使用される録画再生装置であって、
テレビ放送波を受信する受信部と、
前記受信部により得られる放送中の番組を録画する録画部と、
前記受信部により得られる放送中の番組又は前記録画部により得られる録画済みの番組の何れかを再生する再生部と、
前記操作入力部に対する利用者の操作に基づいて、前記受信部、前記録画部、及び前記再生部を制御する制御部と、
を有し、
前記制御部は、番組のジャンルを選択する操作を前記操作入力部が受け付けると、放送中の各番組及び録画済みの各番組の中から、前記選択されたジャンルに属する番組を再生するよう制御する、
ことを特徴とする録画再生装置。
【請求項２】
前記制御部は、番組のジャンルを選択する操作を前記操作入力部が受け付けた後、前記選択されたジャンルに属する録画済みの番組よりも、前記選択されたジャンルに属する放送中の番組を優先して再生するよう制御する、
ことを特徴とする請求項１に記載の録画再生装置。
【請求項３】
前記制御部は、
前記録画部が番組を録画する際に、該番組と対応付けてジャンルを特定するためのジャンル特定情報を記録し、
前記選択されたジャンルに属する録画済みの番組を、前記記録されたジャンル特定情報に基づいて特定する、
ことを特徴とする請求項１又は２に記載の録画再生装置。
【請求項４】
前記制御部は、同一の番組のジャンルを選択する操作を前記操作入力部が繰り返し受け付けると、前記放送中の各番組及び前記録画済みの各番組の中から、前記選択されたジャンルに属する各番組を順次切り替えて再生するよう制御する、
ことを特徴とする請求項１〜３の何れか一項に記載の録画再生装置。
【請求項５】
前記制御部は、
前記放送中の各番組に関する番組表情報を取得し、
前記選択されたジャンルに属する放送中の番組を、前記取得した番組表情報に基づいて特定する、
ことを特徴とする請求項１〜４の何れか一項に記載の録画再生装置。
【請求項６】
前記制御部は、放送中の各番組及び録画済みの各番組に基づいて前記選択されたジャンルに属する番組の一覧である再生リストを作成することによって、前記再生リストに含まれる放送中の各番組及び録画済みの各番組を連続的に再生可能な状態にする、
ことを特徴とする請求項１〜５の何れか一項に記載の録画再生装置。
【請求項７】
テレビ放送波を受信して得られる放送中の番組を録画する第１ステップと、
テレビ放送波を受信して得られる放送中の番組又は前記第１ステップにより得られる録画済みの番組の何れかを再生する第２ステップと、
を有し、
前記第２ステップにおいて、番組のジャンルを選択する操作を操作入力部が受け付けると、放送中の各番組及び録画済みの各番組の中から、前記選択されたジャンルに属する番組を再生する、
ことを特徴とする録画再生方法。
【請求項８】
前記第２ステップにおいて、前記選択されたジャンルに属する録画済みの番組よりも、前記選択されたジャンルに属する放送中の番組を優先して再生する、
ことを特徴とする請求項７に記載の録画再生方法。
【請求項９】
前記第１ステップにおいて、番組を録画する際に該番組と対応付けてジャンルを特定するためのジャンル特定情報を記録し、
前記第２ステップにおいて、前記選択されたジャンルに属する録画済みの番組を、前記記録されたジャンル特定情報に基づいて特定する、
ことを特徴とする請求項７又は８に記載の録画再生方法。
【請求項１０】
前記第２ステップにおいて、同一の番組のジャンルを選択する操作を前記操作入力部が繰り返し受け付けると、前記放送中の各番組及び前記録画済みの各番組の中から、前記選択されたジャンルに属する各番組を順次切り替えて再生する、
ことを特徴とする請求項７〜９の何れか一項に記載の録画再生方法。
【請求項１１】
前記第２ステップにおいて、前記放送中の各番組に関する番組表情報を取得し、前記選択されたジャンルに属する放送中の番組を、前記取得した番組表情報に基づいて特定する、
ことを特徴とする請求項７〜１０の何れか一項に記載の録画再生方法。
【請求項１２】
前記第２ステップにおいて、放送中の各番組及び録画済みの各番組に基づいて前記選択されたジャンルに属する番組のリストである再生リストを作成することによって、前記再生リストに含まれる放送中の各番組及び録画済みの各番組を連続的に再生可能な状態にする、
ことを特徴とする請求項７〜１１の何れか一項に記載の録画再生方法。
【発明の詳細な説明】
【技術分野】
【０００１】
本発明は、番組の録画及び再生を行う録画再生装置及び録画再生方法に関する。
【背景技術】
【０００２】
近年、テレビ放送波を受信して番組データ（以下、単に「番組」という）の録画及び再生を行う録画再生装置を利用する利用者の利便性を高めるために、様々な技術が提案されている。
【０００３】
このような技術の一つとして、番組のジャンル（「ドラマ」や「スポーツ」等）を選択するためのジャンル選択手段を録画再生装置のリモコンに設け、ジャンル選択手段で選択されたジャンルに属する現在放送中の番組を再生するように構成された録画再生装置がある（特許文献１参照）。
【０００４】
特許文献１に記載の録画再生装置は、選択された所望のジャンルに属する現在放送中の番組が存在しない場合、その日の番組表の中から当該ジャンルに属する将来放送予定の番組を視聴予約するように構成されている。
【先行技術文献】
【特許文献】
【０００５】
【特許文献１】特開平７−２８８７１２号公報
【発明の概要】
【発明が解決しようとする課題】
【０００６】
しかしながら、特許文献１に記載の録画再生装置は、所望のジャンルに属する現在放送中の番組が存在しない場合には視聴予約するものの、当該ジャンルに属する放送がない場合には、利用者は予定の番組が放送される時刻まで番組視聴を待つ必要があった。
【０００７】
そこで、本発明は、所望のジャンルに属する現在放送中の番組が存在しない場合でも、所望のジャンルに属する番組を利用者が容易に探し視聴できる録画再生装置及び録画再生方法を提供することを目的とする。
【課題を解決するための手段】
【０００８】
上述した課題を解決するために、本発明は以下のような特徴を有している。
【０００９】
まず、本発明に係る録画再生装置の一の特徴は、操作入力部（リモコン１）と共に使用される録画再生装置（録画再生装置１００）であって、テレビ放送波を受信する受信部（放送波受信部１１０）と、前記受信部により得られる放送中の番組を録画する録画部（録画部１２０）と、前記受信部により得られる放送中の番組又は前記録画部により得られる録画済みの番組の何れかを再生する再生部（再生部１３０）と、前記操作入力部に対する利用者の操作に基づいて、前記受信部、前記録画部、及び前記再生部を制御する制御部（制御部１４０）と、を有し、前記制御部は、番組のジャンルを選択する操作を前記操作入力部が受け付けると、放送中の各番組及び録画済みの各番組の中から、前記選択されたジャンルに属する番組を再生するよう制御する、ことを要旨とする。
【００１０】
このような特徴によれば、録画再生装置は、番組のジャンルを選択する操作を操作入力部が受け付けると、放送中の各番組及び録画済みの各番組の中から、当該選択されたジャンル（所望のジャンル）に属する番組を再生する。これにより、放送中の各番組の中に所望のジャンルに属する番組が存在しない場合でも、録画済みの各番組の中から所望のジャンルに属する番組を再生することができる。
【００１１】
したがって、上記特徴によれば、所望のジャンルに属する現在放送中の番組が存在しない場合でも、所望のジャンルに属する番組を利用者が以前に録画した番組を容易に検索し視聴できる。
【００１２】
本発明に係る録画再生装置の他の特徴は、前記制御部は、番組のジャンルを選択する操作を前記操作入力部が受け付けた後、前記選択されたジャンルに属する録画済みの番組よりも、前記選択されたジャンルに属する放送中の番組を優先して再生するよう制御する、ことを要旨とする。
【００１３】
このような特徴によれば、録画済みの番組はいつでも視聴できる一方、現在放送中の番組は録画しなければ現時点でしか視聴できないため、録画済みの番組よりも放送中の番組を優先して再生することによって、利用者の利便性を高めることができる。
【００１４】
本発明に係る録画再生装置の他の特徴は、前記制御部は、前記録画部が番組を録画する際に、該番組と対応付けてジャンルを特定するためのジャンル特定情報を記録し、前記選択されたジャンルに属する録画済みの番組を、前記記録されたジャンル特定情報に基づいて特定する、ことを要旨とする。ここで、ジャンルを特定するためのジャンル特定情報とは、当該ジャンルの識別子（ジャンルコード）としてもよく、当該ジャンルに関連する文字列（例えばジャンル“スポーツ”について“野球”や“サッカー”等の文字列）としてもよい。
【００１５】
このような特徴によれば、番組の録画時に当該番組のジャンルコードを記録しておくことによって、ジャンル別の番組再生時において、現在放送中の番組と録画済みの番組をジャンル毎に連続で検索し特定することができる。
【００１６】
本発明に係る録画再生装置の他の特徴は、前記制御部は、同一の番組のジャンルを選択する操作を前記操作入力部が繰り返し受け付けると、前記放送中の各番組及び前記録画済みの各番組の中から、前記選択されたジャンルに属する各番組を順次切り替えて再生するよう制御する、ことを要旨とする。
【００１７】
このような特徴によれば、例えば操作入力部にジャンル毎のキーが設けられる場合に、キーを押す度に当該キーに対応するジャンルの番組が順次切り替えて再生されるため、直感的な操作を可能とし、操作性を高めることができる。
【００１８】
本発明に係る録画再生装置の他の特徴は、前記制御部は、前記放送中の各番組に関する番組表情報を取得し、前記選択されたジャンルに属する放送中の番組を、前記取得した番組表情報に基づいて特定する、ことを要旨とする。
【００１９】
このような特徴によれば、番組表情報（ＥＰＧ）を利用して、選択されたジャンルに属する放送中の番組を特定することができる。
【００２０】
本発明に係る録画再生装置の他の特徴は、放送中の各番組及び録画済みの各番組に基づいて前記選択されたジャンルに属する番組の一覧である再生リストを作成することによって、前記再生リストに含まれる放送中の各番組及び録画済みの各番組を連続的に再生可能な状態にする、ことを要旨とする。
【００２１】
このような特徴によれば、選択されたジャンルに属する番組の一覧である再生リストを作成することによって、再生リストに含まれる放送中の各番組及び録画済みの各番組を連続的に再生可能な状態にするため、利用者は所望のジャンルに属する放送中の各番組及び録画済みの各番組をシームレスに視聴することができる。
【００２２】
本発明に係る録画再生方法の一の特徴は、テレビ放送波を受信して得られる放送中の番組を録画する第１ステップと、テレビ放送波を受信して得られる放送中の番組又は前記第１ステップにより得られる録画済みの番組の何れかを再生する第２ステップと、を有し、前記第２ステップにおいて、番組のジャンルを選択する操作を操作入力部が受け付けると、放送中の各番組及び録画済みの各番組の中から、前記選択されたジャンルに属する番組を再生する、ことを要旨とする。
【００２３】
本発明に係る録画再生方法の他の特徴は、前記第２ステップにおいて、前記選択されたジャンルに属する録画済みの番組よりも、前記選択されたジャンルに属する放送中の番組を優先して再生する、ことを要旨とする。
【００２４】
本発明に係る録画再生方法の他の特徴は、前記第１ステップにおいて、番組を録画する際に該番組と対応付けてジャンルを特定するためのジャンル特定情報を記録し、前記第２ステップにおいて、前記選択されたジャンルに属する録画済みの番組を、前記記録されたジャンル特定情報に基づいて特定する、ことを要旨とする。
【００２５】
本発明に係る録画再生方法の他の特徴は、前記第２ステップにおいて、同一の番組のジャンルを選択する操作を前記操作入力部が繰り返し受け付けると、前記放送中の各番組及び前記録画済みの各番組の中から、前記選択されたジャンルに属する各番組を順次切り替えて再生する、ことを要旨とする。
【００２６】
本発明に係る録画再生方法の他の特徴は、前記第２ステップにおいて、前記放送中の各番組に関する番組表情報を取得し、前記選択されたジャンルに属する放送中の番組を、前記取得した番組表情報に基づいて特定する、ことを要旨とする。
【００２７】
本発明に係る録画再生方法の他の特徴は、前記第２ステップにおいて、放送中の各番組及び録画済みの各番組に基づいて前記選択されたジャンルに属する番組のリストである再生リストを作成することによって、前記再生リストに含まれる放送中の各番組及び録画済みの各番組を連続的に再生可能な状態にする、ことを要旨とする。
【発明の効果】
【００２８】
本発明によれば、所望のジャンルに属する現在放送中の番組が存在しない場合でも、所望のジャンルに属する番組を利用者が容易に探し視聴できる録画再生装置及び録画再生方法を提供できる。
【図面の簡単な説明】
【００２９】
【図１】本発明の実施形態に係る録画再生システムの全体構成図である。
【図２】本発明の実施形態に係る録画再生装置及びリモコンの構成を示すブロック図である。
【図３】本発明の実施形態に係るジャンル別文字列表の構成例を示す図である。
【図４】本発明の実施形態に係る録画再生装置の録画時動作のフローチャートである。
【図５】本発明の実施形態に係るジャンル別録画番組表の構成例を示す図である。
【図６】本発明の実施形態に係る録画再生装置のジャンル別再生動作のフローチャートである。
【図７】本発明の実施形態に係るジャンル別再生リストの構成例を示す図である。
【発明を実施するための形態】
【００３０】
図面を参照して、本発明の実施形態を説明する。以下の実施形態における図面において、同一又は類似の部分には同一又は類似の符号を付す。
【００３１】
まず、本実施形態に係る録画再生システムの全体構成を説明する。図１は、本実施形態に係る録画再生システムの全体構成図である。
【００３２】
図１に示すように、本実施形態に係る録画再生システムは、リモコン１と、録画再生装置１００と、テレビ受像機１０とを有する。
【００３３】
リモコン１は、録画再生装置１００を遠隔操作するものである。リモコン１は、利用者からの操作を受け付けて、受け付けた操作に対応するコマンドを赤外線により出力する。本実施形態においてリモコン１は操作入力部に相当する。
【００３４】
録画再生装置１００は、テレビ放送波を受信して番組の録画及び再生を行うものである。録画再生装置１００は、リモコン１から受信したコマンドに従って動作する。録画再生装置１００は、再生する番組をテレビ受像機１０に出力する。
【００３５】
テレビ受像機１０は、録画再生装置１００から入力される番組の映像を表示するとともに、録画再生装置１００から入力される番組の音声を出力する。
【００３６】
次に、リモコン１及び録画再生装置１００の構成を説明する。図２は、本実施形態に係るリモコン１及び録画再生装置１００の構成を示すブロック図である。
【００３７】
図２に示すように、リモコン１は、ジャンル別キー入力部１１と、その他キー入力部１２と、赤外線送信部１３とを有する。
【００３８】
ジャンル別キー入力部１１は、番組のジャンル毎に設けられた複数のジャンル選択キーを含んで構成される。番組のジャンルには、例えばドラマやスポーツ等が含まれる。複数のジャンル選択キーのうち利用者によって押下されたキーに対応するコマンド（以下、適宜「ジャンル選択コマンド」という）を赤外線送信部１３に出力する。
【００３９】
その他キー入力部１２は、通常のリモコンが備えるキーを含んで構成され、そのようなキーとしては、チャンネル毎に設けられた複数の選局キーや、電源オン／オフキー、チャンネルＵＰ／ＤＯＷＮキー、音量ＵＰ／ＤＯＷＮキー、録画キー等がある。その他キー入力部１２は、利用者によって押下されたキーに対応するコマンドを赤外線送信部１３に出力する。
【００４０】
赤外線送信部１３は、ジャンル別キー入力部１１及び録画再生装置１００のそれぞれから、押下されたキーに対応するコマンドが入力され、入力されたコマンドを赤外線により送信する。
【００４１】
図２に示すように、録画再生装置１００は、赤外線受信部１０５と、放送波受信部１１０と、録画部１２０と、再生部１３０と、制御部１４０とを有する。
【００４２】
赤外線受信部１０５は、リモコン１から赤外線により送信されたコマンドを受信し、受信したコマンドを制御部１４０に出力する。
【００４３】
放送波受信部１１０は、アンテナ１０１が受信したテレビ放送波が入力され、入力されたテレビ放送波に対する選局及び復調等を行って、選局されたチャンネルで放送されている番組（すなわち、放送中の番組）を出力する。
【００４４】
録画部１２０は、放送波受信部１１０により得られる放送中の番組が入力され、入力された放送中の番組を例えばハードディスクや光ディスク等の記録媒体に録画（記録）する。録画部１２０は、録画済みの番組を再生部１３０に出力する。なお、制御部１４０は、録画部１２０が番組を録画する際に、該番組と対応付けてジャンルコードを記録して、ジャンル別録画番組表を作成及び更新する。このような録画時動作の詳細については後述する。
【００４５】
再生部１３０は、放送波受信部１１０により得られる放送中の番組又は録画部１２０により得られる録画済みの番組の何れかが入力され、入力された番組を再生する。再生部１３０は、再生する番組を、図示を省略するケーブル等を介してテレビ受像機１０に出力する。
【００４６】
制御部１４０は、赤外線受信部１０５から入力されるコマンド（すなわち、リモコン１に対する利用者の操作）に基づいて、放送波受信部１１０、録画部１２０、及び再生部１３０のそれぞれに制御信号を出力することで、放送波受信部１１０、録画部１２０、及び再生部１３０のそれぞれを制御する。
【００４７】
制御部１４０は、番組のジャンルを選択する操作をリモコン１のジャンル別キー入力部１１が受け付けると、放送中の各番組及び録画済みの各番組の中から、選択されたジャンルに属する番組を再生するよう制御する。本実施形態では、制御部１４０は、選択されたジャンルに属する録画済みの番組よりも、選択されたジャンルに属する放送中の番組を優先して再生するよう制御する。
【００４８】
また、制御部１４０は、同一のジャンルを選択する操作をリモコン１のジャンル別キー入力部１１が繰り返し受け付けると、放送中の各番組及び録画済みの各番組の中から、選択されたジャンルに属する各番組を順次切り替えて再生するよう制御する。このようなジャンル別再生動作の詳細については後述する。
【００４９】
さらに、制御部１４０は、放送波受信部１１０が受信するテレビ放送波に含まれる番組表情報（ＥＰＧ）を取得する。あるいは、録画再生装置１００がネットワーク接続可能に構成されている場合、制御部１４０は、ネットワークを介して番組表情報を取得してもよい。制御部１４０は、選択されたジャンルに属する放送中の番組を、取得した番組表情報に基づいて特定する。また、制御部１４０は、選択されたジャンルに属する録画済みの番組を、ジャンル別録画番組表に基づいて特定する。
【００５０】
制御部１４０は、中央演算処理ユニット（ＣＰＵ）１４１と、メモリ１４２とを含む。ＣＰＵ１４１は、メモリ１４２が記憶している制御プログラムを実行することによって、後述する各種の制御を実行する。メモリ１４２は、ＣＰＵ１４１によって実行されるべきプログラムを記憶するとともに、ＣＰＵ１４１のワークエリアとしても使用される。
【００５１】
また、メモリ１４２は、番組のジャンルと複数の文字列とを対応付けたジャンル別文字列表を予め記憶している。図３は、ジャンル別文字列表の構成例を示す図である。図３に示すように、ジャンル別文字列表は、番組のジャンルを識別するジャンルコードと、当該ジャンルについて連想される各文字列とを対応付けて構成される。例えば、ジャンル“スポーツ”については、“野球”や“サッカー”といった文字列が対応付けられている。
【００５２】
次に、録画再生装置１００の録画時動作を説明する。図４は、録画再生装置１００の録画時動作のフローチャートである。
【００５３】
本動作フローは、リモコン１が録画操作を受け付けた場合（すなわち、録画キーが押下された場合）や、事前に予約された録画を実行する場合に開始される。本動作フローが開始されると、制御部１４０は、放送波受信部１１０が出力する放送中の番組を録画するよう録画部１２０を制御する。
【００５４】
図４に示すように、ステップＳ１０１において、制御部１４０は、番組表情報（ＥＰＧ）を取得し、取得した番組表情報から、録画する放送中の番組の情報を抽出する。そして、制御部１４０は、ジャンル別文字列表に含まれる各文字列と、番組表情報から抽出した番組情報とを比較し、一致する文字列が有るか否かを確認する。一致する文字列が有る場合、制御部１４０は、処理をステップＳ１０２に進める。
【００５５】
ステップＳ１０２において、制御部１４０は、ジャンル別文字列表から、当該一致する文字列に対応するジャンルコードを取得する。例えば、番組表情報から抽出した番組情報に“野球”という文字列が含まれている場合には、“野球”に対応するジャンルコード“スポーツ”を取得する。
【００５６】
ステップＳ１０３において、制御部１４０は、録画する放送中の番組の名前（番組名）と、ステップＳ１０２で取得したジャンルコードとを対応付けてメモリ１４２に記録する。
【００５７】
このようにして、メモリ１４２は、ジャンル毎に録画番組名を記録したジャンル別録画番組表を記憶する。図５は、ジャンル別録画番組表の構成例を示す図である。図５に示すように、ジャンル別録画番組表は、番組のジャンルを識別するジャンルコードと、当該ジャンルについて録画された番組名とを対応付けて構成される。
【００５８】
次に、録画再生装置１００のジャンル別再生動作を説明する。図６は、録画再生装置１００のジャンル別再生動作のフローチャートである。
【００５９】
図６に示すように、ステップＳ２０１において、ジャンル別キー入力部１１の何れかのジャンル選択キーが押下され、赤外線受信部１０５は、当該ジャンル選択キーに対応するジャンル選択コマンドを受信し、受信したジャンル選択コマンドを制御部１４０に出力する。
【００６０】
ステップＳ２０２において、制御部１４０は、赤外線受信部１０５から入力されたジャンル選択コマンドをジャンルコードに変換し、ジャンル別文字列表の中から、当該ジャンルコードに対応する各文字列を取得する。
【００６１】
ステップＳ２０３において、制御部１４０は、番組表情報（ＥＰＧ）を取得し、取得した番組表情報に含まれる放送中の各番組の情報と、ステップＳ１０２で取得した各文字列とを比較し、一致する放送中の番組が有るか否かを確認する。一致する放送中の番組が有る場合、制御部１４０は、処理をステップＳ２０４に進める。これに対し、一致する放送中の番組が無い場合、制御部１４０は、処理をステップＳ２０５に進める。
【００６２】
ステップＳ２０４において、制御部１４０は、当該一致する放送中の番組を、選択されたジャンルに属する放送中の番組として特定する。特定される放送中の番組は、１つに限らず、複数であってもよい。
【００６３】
ステップＳ２０５において、制御部１４０は、ジャンル別録画番組表の中に、ステップＳ２０２で得られたジャンルコードに対応する録画済みの番組が有るか否かを確認する。対応する録画済みの番組が有る場合、制御部１４０は、処理をステップＳ２０６に進める。これに対し、対応する録画済みの番組が無い場合、制御部１４０は、処理をステップＳ２０７に進める。
【００６４】
ステップＳ２０６において、制御部１４０は、当該対応する録画済みの各番組を、選択されたジャンルに属する録画済みの番組として特定する。特定される録画済みの番組は、１つに限らず、複数であってもよい。
【００６５】
ステップＳ２０７において、制御部１４０は、選択されたジャンルに属する番組として特定した各番組をリスト化し、ジャンル別再生リストを作成する。図７は、ジャンル別再生リストの構成例を示す図である。図７に示すように、ジャンル別再生リストは、選択されたジャンルに属する番組として特定した各番組を、放送中の各番組及び録画済みの各番組の順に並べたものである。すなわち、ジャンル別再生リストは、選択されたジャンルに属する放送中の各番組が、選択されたジャンルに属する録画済みの各番組よりも優先して再生されるように構成される。
【００６６】
ステップＳ２０８において、制御部１４０は、ステップＳ２０７で作成したジャンル別再生リストの最初の番組の再生を開始するよう制御する。当該最初の番組が放送中の番組である場合、制御部１４０は、当該放送中の番組に対応するチャンネルを選局するよう放送波受信部１１０を制御し、放送波受信部１１０が出力する放送中の番組を再生するよう再生部１３０を制御する。これに対し、当該最初の番組が録画済みの番組である場合、制御部１４０は、当該録画済みの番組を記憶媒体から読み出して出力するよう録画部１２０を制御し、録画部１２０が出力する録画済みの番組を再生するよう再生部１３０を制御する。
【００６７】
ステップＳ２０９において、制御部１４０は、ステップＳ２０２のジャンル選択コマンドと同一のジャンル選択コマンドを赤外線受信部１０５が受信したか否か、すなわち、同一のジャンル選択キーが繰り返し押下されたか否かを確認する。同一のジャンル選択キーが繰り返し押下された場合、制御部１４０は、処理をステップＳ２１０に進める。これに対し、同一のジャンル選択キーが繰り返し押下されない場合、制御部１４０は、処理をステップＳ２０８に戻す。ただし、ステップＳ２０２のジャンル選択コマンドと異なるジャンル選択コマンドを赤外線受信部１０５が受信した場合には、制御部１４０は、処理をステップＳ２０２に戻す。
【００６８】
ステップＳ２１０において、制御部１４０は、ステップＳ２０７で作成したジャンル別再生リスト中に、次の番組が有るか否かを確認する。次の番組が有る場合、制御部１４０は、処理をステップＳ２１１に進める。これに対し、次の番組が無い場合、制御部１４０は、処理をステップＳ２０８に戻し、最初の番組を再び再生するよう制御する。
【００６９】
ステップＳ２１１において、制御部１４０は、当該次の番組の再生に切り替えるよう制御する。当該次の番組が放送中の番組である場合、制御部１４０は、当該放送中の番組に対応するチャンネルを選局するよう放送波受信部１１０を制御する。これに対し、当該次の番組が録画済みの番組である場合、制御部１４０は、当該録画済みの番組を記憶媒体から読み出して出力するよう録画部１２０を制御する。
【００７０】
ステップＳ２１２において、制御部１４０は、当該次の番組を再生するよう制御する。当該次の番組が放送中の番組である場合、制御部１４０は、放送波受信部１１０が出力する放送中の番組を再生するよう再生部１３０を制御する。これに対し、当該次の番組が録画済みの番組である場合、制御部１４０は、録画部１２０が出力する録画済みの番組を再生するよう再生部１３０を制御する。
【００７１】
ステップＳ２１３において、同一のジャンル選択コマンドを赤外線受信部１０５が受信したか否か、すなわち、同一のジャンル選択キーが繰り返し押下されたか否かを確認する。同一のジャンル選択キーが繰り返し押下された場合、制御部１４０は、処理をステップＳ２１０に戻す。これに対し、同一のジャンル選択キーが繰り返し押下されない場合、制御部１４０は、処理をステップＳ２１２に戻す。ただし、異なるジャンル選択コマンドを赤外線受信部１０５が受信した場合には、制御部１４０は、処理をステップＳ２０２に戻す。
【００７２】
このように、本動作フローでは、同一のジャンル選択キーが繰り返し押下されることに応じて、ジャンル別再生リスト中の番組が巡回的に再生される。これにより、チャンネルＵＰ／ＤＯＷＮキーを押下するのと同様な操作感でジャンル別の番組再生を実現している。
【００７３】
以上説明したように、録画再生装置１００は、番組のジャンルを選択する操作をリモコン１が受け付けると、放送中の各番組及び録画済みの各番組の中から、当該選択されたジャンルに属する番組を再生する。これにより、放送中の各番組の中に所望のジャンルに属する番組が存在しない場合でも、録画済みの各番組の中から所望のジャンルに属する番組を再生することができる。したがって、所望のジャンルに属する現在放送中の番組が存在しない場合でも、所望のジャンルに属する番組を利用者が即座に視聴できる。
【００７４】
本実施形態では、制御部１４０は、番組のジャンルを選択する操作をリモコン１が受け付けた後、選択されたジャンルに属する録画済みの番組よりも、選択されたジャンルに属する放送中の番組を優先して再生するよう制御する。録画済みの番組はいつでも視聴できる一方、現在放送中の番組は録画しなければ現時点でしか視聴できないため、録画済みの番組よりも放送中の番組を優先して再生することによって、利用者の利便性を高めることができる。
【００７５】
本実施形態では、制御部１４０は、録画部１２０が番組を録画する際に、該番組と対応付けてジャンルコードを記録し、選択されたジャンルに属する録画済みの番組を、記録されたジャンルコードに基づいて特定する。このように、番組の録画時に当該番組のジャンルコードを記録しておくことによって、ジャンル別の番組再生時において、録画済みの番組のジャンルを即座に特定することができる。
【００７６】
本実施形態では、制御部１４０は、同一の番組のジャンルを選択する操作をリモコン１が繰り返し受け付けると、放送中の各番組及び録画済みの各番組の中から、選択されたジャンルに属する各番組を順次切り替えて巡回的に再生するよう制御する。これにより、例えばリモコン１にジャンル毎のキーが設けられる場合に、キーを押す度に当該キーに対応するジャンルの番組が順次切り替えて再生されるため、簡単な操作を可能とし、操作性を高めることができる。
【００７７】
本実施形態では、制御部１４０は、放送中の各番組に関する番組表情報（ＥＰＧ）を取得し、選択されたジャンルに属する放送中の番組を、取得した番組表情報に基づいて特定する。これにより、番組表情報を利用して、選択されたジャンルに属する放送中の番組を特定することができる。
【００７８】
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７９】
例えば、上述した実施形態では、ジャンル別文字列表を使用する一例を説明したが、番組表情報（ＥＰＧ）中に番組のジャンルの情報（ジャンルコード）が含まれている場合には、当該ジャンルの情報を使用することによって、ジャンル別文字列表を不要とすることができる。
【００８０】
また、録画番組と対応付けてジャンルコードを記録する一例を説明したが、ジャンルコードに代えて、録画時に当該ジャンルに関連する文字列を記録しておき、再生時にはジャンルに属する番組を文字列をキーとして検索してもよい。
【００８１】
上述した実施形態では、コマンドを赤外線により送受信する一例を説明したが、赤外線に限らず、コマンドを電波により送受信する構成としてもよい。
【００８２】
また、上述した実施形態では、テレビ受像機１０と別体に構成されていたが、録画再生装置１００をテレビ受像機１０と一体的に構成してもよい。あるいは、上述した録画再生装置１００の機能をコンピュータプログラムにより構成し、当該コンピュータプログラムをコンピュータに実行させることによって、当該コンピュータを録画再生装置としてもよい。この場合、リモコン１に代えて、キーボードやマウスを操作入力部としてもよい。
【００８３】
このように本発明は、ここでは記載していない様々な実施形態等を包含するということを理解すべきである。
【符号の説明】
【００８４】
１…リモコン、１０…テレビ受像機、１１…ジャンル別キー入力部、１２…その他キー入力部、１３…赤外線送信部、１００…録画再生装置、１０１…アンテナ、１０５…赤外線受信部、１１０…放送波受信部、１２０…録画部、１３０…再生部、１４０…制御部、１４１…ＣＰＵ、１４２…メモリ
【図１】
2012222754.tif 000003
【図２】
2012222754.tif 000004
【図３】
2012222754.tif 000005
【図４】
2012222754.tif 000006
【図５】
2012222754.tif 000007
【図６】
2012222754.tif 000008
【図７】
2012222754.tif 000009